(57)【要約】      （修正有）【課題】高い輝度で、多方向に発光を行うことで、自分の存在を広範囲に知らせることができ、安全性の向上を図ることができる発光器具を提供する。【解決手段】腕時計のような構造で、ケース１２のラグ１４にベルトないしバンド１６が設けられており、バンド１６を腕に巻いて尾錠１８で止める。ケース１２には、発光器１００が収納され、発光器１００は、ドーム状のカバー１０２内に、ＬＥＤ１０４が設けられている。ＬＥＤ１０４をドームカバー１０２で包むようになっており、ドームカバー１０２がＬＥＤ１０４に対する通電のスイッチ１０６として機能する。ドームカバー１０２は、ＬＥＤ１０４から出力された光を半球方向に分散して出力する光分散器としての機能も備えている。【選択図】図１
0003220096.tif 000002
【実用新案登録請求の範囲】
【請求項１】
光を出力して自分の存在を知らせるための発光器具であって、
直接もしくは間接的に身に付けることができるケース，
このケースに取り付けられている自発光式の発光器，
この発光器の外側に設けられており、前記発光器の光を多方向に分散して出力する光分散器，
前記発光器に対して発光用の電力を供給する電池，
を備えたことを特徴とする発光器具。
【請求項２】
前記発光器がＬＥＤであり、前記光分散器が、前記ＬＥＤを包むドーム状のカバーであることを特徴とする請求項１記載の発光器具。
【請求項３】
前記ドーム状のカバーが、前記電池から前記発光器への通電のスイッチを兼用することを特徴とする請求項２記載の発光器具。
【請求項４】
前記発光器の発光態様を変更する通電制御回路を備えたことを特徴とする請求項１〜３のいずれか一項に記載の発光器具。
【請求項５】
衝撃を検知する衝撃センサ及び／又は外光を検知する光センサを備えており、それらセンサの検知結果に応じて、前記通電制御回路により前記発光器の発光態様を変更することを特徴とする請求項４記載の発光器具。
【請求項６】
前記ケースにラグが設けられており、このラグに設けたバンドを利用して、前記発光器の取付を行うことを特徴とする請求項１〜５のいずれか一項に記載の発光器具。
【考案の詳細な説明】
【技術分野】
【０００１】
本考案は、交通安全用の発光器具であるセフティスポットライトに関し、歩行者や自転車の特に夜間における交通の安全確保に好適な発光器具の改良に関する。
【背景技術】
【０００２】
従来の交通安全を目的とした発光器具としては、例えば、下記特許文献１記載の「交通安全兼防犯ブザー」がある。これは、暗い夜道での歩行者や自転車などでの走行者の交通安全にも寄与し得る交通安全兼防犯ブザーを提供することを目的としており、ブザー本体に、反射発光機能を付与した吊り下げ用の紐状体を取り付けるとともに、ブザー本体の表面にも反射発光機能を付与した構成となっている。
【先行技術文献】
【特許文献】
【０００３】
【特許文献１】実用新案登録第３１０２５６２号公報
【考案の概要】
【考案が解決しようとする課題】
【０００４】
ところで、上述した背景技術は、反射発光機能を利用しているが、これは、外部から光が入射しないと発光しないため、輝度が低くなりがちである。より安全性を高めるためには、自ら発光するほうが好ましい。また、発光を、より広範な方向から見ることができることが好ましい。
【０００５】
本考案は、以上の点に着目したもので、その目的は、高い輝度で、多方向に発光を行うことで、自分の存在を広範囲に知らせることができ、交通などの安全性の向上に寄与できる発光器具を提供することである。
【課題を解決するための手段】
【０００６】
本考案は、光を出力して自分の存在を知らせるための発光器具であって、直接もしくは間接的に身に付けることができるケース，このケースに取り付けられている自発光式の発光器，この発光器の外側に設けられており、前記発光器の光を多方向に分散して出力する光分散器，前記発光器に対して発光用の電力を供給する電池，を備えたことを特徴とする。
【０００７】
主要な形態の一つによれば、前記発光器がＬＥＤであり、前記光分散器が、前記ＬＥＤを包むドーム状のカバーであることを特徴とする。また、前記ドーム状のカバーが、前記電池から前記発光器への通電のスイッチを兼用することを特徴とする。
【０００８】
更に他の形態によれば、前記発光器の発光態様を変更する通電制御回路を備えたことを特徴とする。また、衝撃を検知する衝撃センサ及び／又は外光を検知する光センサを備えており、それらセンサの検知結果に応じて、前記通電制御回路により前記発光器の発光態様を変更することを特徴とする。更に他の形態によれば、前記ケースにラグが設けられており、このラグに設けたバンドによって、前記発光器の取付を行うことを特徴とする。本考案の前記及び他の目的，特徴，利点は、以下の詳細な説明及び添付図面から明瞭になろう。
【考案の効果】
【０００９】
本考案によれば、直接もしくは間接的に身に付けることができるケースに、自発光式の発光器と、この発光器の光を多方向に分散して出力する光分散器を設けることとしたので、見つけた歩行者等が自分の存在を広範囲に知らせることができる。
【図面の簡単な説明】
【００１０】
【図１】本考案の実施例のセフティスポットライトを示す図である。(A)は外観を示す斜視図、(B)は回路構成を示すブロック図である。
【図２】前記実施例の発光態様を示す図である。
【図３】前記実施例の使用時の様子を示す図である。
【考案を実施するための形態】
【００１１】
以下、本考案を実施するための最良の形態を、実施例に基づいて詳細に説明する。
【実施例１】
【００１２】
図１(A)には、本実施例のセフティスポットライト１０の外観が示されており、全体は腕時計のような構造となっている。すなわち、ケース１２のラグ１４にベルトないしバンド１６が設けられており、バンド１６を腕に巻いて尾錠１８で止めるようになっている。もちろん、バンド１６と尾錠１８の代わりに、金属製のベルトとバックルの組み合わせとしてもよいし、尾錠１８の代わりに面ファスナを用いてもよい。
【００１３】
ケース１２には、発光器１００が収納されている。発光器１００は、ドーム状のカバー１０２内に、ＬＥＤ（発光ダイオード）１０４が設けられた構造となっている。すなわち、ＬＥＤ１０４をドームカバー１０２で包むようになっており、ドームカバー１０２がＬＥＤ１０４に対する通電のスイッチ１０６として機能するようになっている。ドームカバー１０２は、ＬＥＤ１０４から出力された光を半球方向に分散して出力する光分散器としての機能も備えている。このため、ＬＥＤ１０４が点灯すると、ドームカバー１０２が全体として光るようになり、いわゆる周囲３６０度の方向に光が放射されるようになっている。ドームカバー１０２は、バネ手段（図示せず）で突出方向に付勢されており、バネ力に抗して押した後は戻るようになっている。
【００１４】
図１(B)には、電気的な回路構成が示されており、電池１０８が、通電制御回路１１０を介してＬＥＤ１０４に接続されている。スイッチ１０６は前記通電制御回路１１０に接続されており、スイッチ１０６，すなわちドームカバー１０２を押す度に、ＬＥＤ１０４が、点灯→点滅→消灯→点灯を繰り返すように通電制御が行われるようになっている。なお、発光態様としては、
ａ，点灯→消灯の繰り返し，
ｂ，点灯→点滅→より速い点滅→消灯の繰り返し，
ｃ，点灯→より強い光による点灯→消灯の繰り返し，
など、各種考えられる。
【００１５】
図２には、その様子が示されている。同図(A)は、発光器１００が点灯していない消灯した状態を示している。この状態からドームカバー１０２を押すと、同図(B)に示すようにドームカバー１０２が発光する。次に、この状態からドームカバー１０２を押すと、同図(C)に示すようにドームカバー１０２が点滅する。更に、この状態からドームカバー１０２を押すと、同図(A)の消灯状態となる。
【００１６】
次に、図３も参照しながら、本実施例の作用を説明する。同図(A)は、子供が本実施例のセフティスポットライト１０を腕に付けている様子を示しており、同図(B)はマラソンランナーがセフティスポットライト１０を腕に付けている様子を示している。セフティスポットライト１０は、ドームカバー１０２を押すだけでドーム全体が点灯するとともに、光がほぼ半球の立体角の方向に出力される。また、歩行やランニングによって手を振ることで、セフティスポットライト１０が揺れるようになり、歩行者の存在を自動車やバイクに対して良好に知らせることができる。ドームカバー１０２を更に押すと、セフティスポットライト１０は点滅するようになり、より注意を惹くことができる。
【００１７】
このように、本実施例によれば、次のような効果が得られる。
ａ，ＬＥＤによる自発光式のため、輝度が高く明るい。
ｂ，光が半球方向に出力されるので、多方向から歩行者等がいることを視認することができる。
ｃ，腕時計のように腕に装着してドームカバーを押すだけといった簡単な操作で使用することができ、極めて使い勝手がよい。
ｄ，使用者が直接身に付けることで、歩行時でも、自転車に乗っているときでも、発光により存在を知らせることができる。
【００１８】
＜他の実施例＞……本考案には数多くの実施例があり、以上の開示に基づいて多様に改変することが可能である。例えば、次のようなものも含まれる。
(1)図３(C)に示すように、カバンやバッグにセフティスポットライト１０を取り付けるようにしてもよい。すなわち、セフティスポットライト１０は、図３(A)，(B)に示すように直接的に身に付けてもよいし、同図(C)に示すように間接的に身に付けるようにしてもよい。
(2)前記実施例では、発光器としてＬＥＤを用いたが、ＬＥＤ以外の発光デバイスを用いてもよい。また、ＬＥＤとして、マルチカラーに対応する調色可能なものを使用すれば、
ａ，使用者の好みに応じて発光色を変更する。
ｂ，連続発光時と点滅発光時で発光色を変更する。
といったことが可能となる。
(3)衝撃センサないしショックセンサを付加し、強い衝撃を検知したときは、昼夜を問わず、自動的に点滅発光するようにしてもよい。また、太陽光を光センサで検知し、暗くなったときは自動的に点灯するようにしてもよい。
(4)前記実施例では、腕時計の形態としたが、チェーン，ストラップ，カラビナなどを利用した吊り下げ式とするなど、身に付けるための手段は適宜変更してよい。
(5)前記実施例では、ドームカバーを押すとスイッチが入るようにしたが、スイッチを別途ケースなどに設けるようにしてもよい。
(6)ドームカバーの形状としては、上述した略半球状に限定されるものではなく、光が多方向に出力されるような各種の形状としてよい。
【産業上の利用可能性】
【００１９】
本考案によれば、直接もしくは間接的に身に付けることができるケースに、自発光式の発光器と、この発光器の光を多方向に分散して出力する光分散器を設けることとしたので、見つけた歩行者等が自分の存在を広範囲に知らせることができ、安全性の向上に寄与できる。
【符号の説明】
【００２０】
１０：セフティスポットライト
１２：ケース
１４：ラグ
１６：バンド
１８：尾錠
１００：発光器
１０２：ドームカバー
１０４：ＬＥＤ
１０６：スイッチ
１０８：電池
１１０：通電制御回路
【図１】
0003220096.tif 000003
【図２】
0003220096.tif 000004
【図３】
0003220096.tif 000005